(57)【特許請求の範囲】
【請求項１】
光軸を中心として二分割して二個一対の分割ハウジングを形成し、該両分割ハウジングのプラグ挿入側と反対の合わせ部に、光送信部側スリーブ挟持固定用の凹状あるいは凸状の係止部と、光受信部側スリーブ挟持固定用の凹状あるいは凸状の係止部とを左右一対に並設してなり、
光送信部側スリーブは、キャンパッケージを嵌合したケーシングの背面中心から後方へ突出し、その略中間部外周に環状の係止凹溝を形成することで、該係止凹溝と光送信部側スリーブ挟持固定用の係止部とが係合し、
光受信部側スリーブは、キャンパッケージを嵌合したケーシングの背面中心から後方へ突出し、当該スリーブ基部に環状の係止凹溝を形成することで、該係止凹溝と光受信部側スリーブ挟持固定用の係止部とが係合することを特徴とする光コネクタ用レセプタクルハウジング。
【発明の詳細な説明】
【０００１】
【発明の属する技術分野】
本発明は、光ファイバを用いた光通信システムに使用される光コネクタ用レセプタクルハウジングに関する。
【０００２】
【従来の技術】
従来の光コネクタ用レセプタクルハウジングは全体を一体に形成し、該ハウジングのプラグ挿入側と反対側の壁部に、光軸方向へ貫通して設けた取付孔に、キャンパッケージを気密封止したケーシングのスリーブを内装した支持筒を差し込み、該支持筒を溝付き金具等でハウジングに固定する構成である。
【０００３】
【発明が解決しようとする課題】
しかし乍ら、上記従来の光コネクタ用レセプタクルハウジングは、専用の溝付き金具等が必要であり、また、該金具は小さいため、ハウジングに対する上記支持筒の取り付けが煩雑で、時間がかかるだけでなく、強固に固定し難く、ゆるみを生じ易い等の問題がある。
【０００４】
【目的】
本発明は、上記従来の光コネクタ用レセプタクルハウジングが有するこのような問題点に鑑みてなされたもので、光軸を中心として、二分割形成した二個一対の分割ハウジングのプラグ挿入側と反対の合わせ部にスリーブの係止部を設けて構成したことによって、上記両分割ハウジングを、その合わせ面で突き合せて合体するだけで、上記係止部によりスリーブを簡単かつ容易に、しかも強固に係止固定できるようにした光コネクタ用レセプタクルハウジングを提供することを目的とする。
【０００５】
【課題を解決するための手段】
上記目的を達成するために、本発明に係る光コネクタ用レセプタクルハウジングは、光軸を中心として二分割して二個一対の分割ハウジングを形成し、該両分割ハウジングのプラグ挿入側と反対の合わせ部に、光送信部側スリーブ挟持固定用の凹状あるいは凸状の係止部と、光受信部側スリーブ挟持固定用の凹状あるいは凸状の係止部とを左右一対に並設してなり、
光送信部側スリーブは、キャンパッケージを嵌合したケーシングの背面中心から後方へ突出し、その略中間部外周に環状の係止凹溝を形成することで、該係止凹溝と光送信部側スリーブ挟持固定用の係止部とが係合し、
光受信部側スリーブは、キャンパッケージを嵌合したケーシングの背面中心から後方へ突出し、当該スリーブ基部に環状の係止凹溝を形成することで、該係止凹溝と光受信部側スリーブ挟持固定用の係止部とが係合することを特徴とする。
【０００６】
【作用】
二個一対の分割ハウジングの、一方の分割ハウジング係止部にスリーブを係止する。
次いで、両分割ハウジングを、その合わせ面で突き合わせることで合体し、ハウジングを構成するが、この時、他方の分割ハウジングの係止部にスリーブを係止する。
【０００７】
即ち、上記係止部は、両分割ハウジングのプラグ挿入側と反対の合わせ部に形成してあるので、スリーブは、その両側から係止部によって係止挟持される。これによって、ハウジングに対して、スリーブは、光軸方向及び光軸と直角方向等、何れの方向に対しても揺動なく強固に固定される。
【０００８】
さらに、両分割ハウジングの合わせ面に、ダボとダボ穴を設けることで、両分割ハウジングを狂いなく正確に合体させることができる。また、上記両分割ハウジングは合体後、金属製帯封等を外装して合体状態を保持する。
【０００９】
【発明の実施の形態】
以下、本発明に係る光コネクタ用レセプタクルハウジングの一実施形態について図面を参照して説明する。
図１は、本発明に係る光コネクタ用レセプタクルハウジングを、構成する二分割した二個一対の分割ハウジングと、該ハウジング内に実装される光送信部と光受信部の各キャンパッケージを気密に封止したスリーブ付きケーシングの各斜視図を示し、図２は、二個一対の分割ハウジングをプラグ挿入側から見た背面図を示し、図３は、図２におけるＡ−Ａ線矢視断面図と、光送信部のキャンパッケージを気密封止したスリーブ付きケーシングの側面図を各示し、図４は、二個一対の分割ハウジングを合わせ面で突き合わせて合体形成した本発明ハウジングの正面図を示し、図５は、同上ハウジング内に光送信部と光受信部が実装された状態の背面図を示し、図６は、図５におけるＢ−Ｂ線矢視断面図を示し、図７は、図５におけるＣ−Ｃ線矢視断面図を示し、図８は、図５におけるＤ−Ｄ線矢視断面図を示し、図９は、同上ハウジング内に光送信部と光受信部の各キャンパッケージを各実装してプラグを各嵌合した状態の側面図を示す。
【００１０】
上記光コネクタ用レセプタクルハウジング１は、図１ないし図６に示したように、光軸ａ、ａを中心として、上下に各二分割して対称に形成した二個一対の分割ハウジング１ａ、１ｂによって構成される。
【００１１】
上記二個一対の分割ハウジング１ａ、１ｂは、次のように構成される。
図１ないし図８に示したように、上記両分割ハウジング１ａ、１ｂは、その分割面を合わせ面２、３として突き合わせ、一体に合体可能に形成させてあると共に、合体した状態で、内部に二個のプラグ挿入孔４、５が後部側（図１及び図３並びに図６ないし図において左側）を開口して形成される。
【００１２】
上記両プラグ挿入孔４、５内の図２及び図５において左右両側には、先端に係止部６ａ、６ａ、７ａ、７ａを突設したバネ性を有する二個一対のプラグ係止片６、６、７、７を各対向突設させてある。（図３、図８参照）
【００１３】
さらに、上記両分割ハウジング１ａ、１ｂは、図１及び図３並びに図４、図６、図８に示したように、プラグ挿入側と反対の前面板８、９の合わせ面１０、１１に、光軸ａ、ａを中心として、後述するスリーブ１５、１５を上下両側から係止して挟持固定するための二個の凹状の係止部１２、１３を、光軸ａ、ａ間と同一間隔ｂ（図４に示す）をおいて形成させてある。
【００１４】
上記凹状の係止部１２、１３は、図２及び図４に示したように、上記前面板８、９の合わせ面１０、１１に、半円形状の凹部１２ａ、１２ａ、１３ａ、１３ａを対向凹設して形成されている。また、上記各凹部１２ａ、１２ａ、１３ａ、１３ａの開口縁の曲率は、後述するスリーブの環状係止凹溝の外周面の曲率と略同一に設定してある。
【００１５】
図中１４は、光送信部とする。そして、この光送信部１４側のスリーブ１５は、図６及び図７並びに図９に示した実施形態では、キャンパッケージ１７を嵌合したケーシング１６の背面中心から後方へ突出して、その略中間部外周に環状の係止凹溝１８を有している。
【００１６】
上記キャンパッケージ１７の背面中心から後方へ突出したフェルール１９は、上記スリーブ１５内の略中間部まで嵌合してケーシング１６とスリーブ１５を溶着して上記ケーシング１６内にキャンパッケージ１７は気密封止されている。
【００１７】
また、上記スリーブ１５は、図１及び図３に示したように、ケーシング１６の背面中心から後方へ突出形成して、略中間部から後端よりに、光軸ａ方向へ所定の間隔をおいて二個一対の外向きフランジ２０、２１を突設することで、該両フランジ２０、２１間を環状の係止凹溝１８に設けてもよい。
【００１８】
一方、図中２２は、光受信部とする。そして、この光受信部２２側のスリーブ１５は、図１及び図６並びに図８に示したように、上記ケーシング１６の背面中心から後方へ一体に突設して、先端に外向きフランジ２４を設けた支持筒２３を形成し、該支持筒２３にスリーブ１５の基部を嵌着して形成し、上記ケーシング１６の背面と、上記フランジ２４間を環状の係止凹溝１８に形成してもよい。
なお、図中１４の光送信部側を光受信部とし、図中２２の光受信部側を光送信部に設計変更することもできる。
【００１９】
而して、既述二個一対の分割ハウジング１ａ、１ｂの係止部１２、１３、つまり凹部１２ａ、１２ａ、１３ａ、１３ａとスリーブ１５及びケーシング１６の係止凹溝１８を位置決めした状態で、上記両分割ハウジング１ａ、１ｂを、その合わせ面２、３を突き合わせて合体すると、上記各凹部１２ａ、１２ａ、１３ａ、１３ａの開口縁部が上記係止凹溝１８に両側から嵌合係止され、スリーブ１５、１５は、合体形成されるハウジング１における前面板８、９の光軸ａ、ａ上に固定される。
【００２０】
図示例は、既述両分割ハウジング１ａ、１ｂのスリーブ係止部１２、１３を、半円形の凹部１２ａ、１２ａ、１３ａ、１３ａを対向形成した凹状に形成してあるが、これ以外に、上記両分割ハウジング１ａ、１ｂの前面板８、９の合わせ部に凸部を形成し、該凸部をスリーブ１５またはケーシング１６に設けた凹溝等に係止するようにした凸状に形成することも可能である。
【００２１】
さらに、図１ないし図３に示したように、既述両分割ハウジング１ａ、１ｂの合わせ面２、３に複数（図示例では各合わせ面に二個、合計四個）のダボ２５、２５と、該ダボ２５、２５に対応するダボ穴２６、２６を各設けて、両分割ハウジング１ａ、１ｂが狂いなく正確に合体できるように形成させてある。
【００２２】
また、既述両分割ハウジング１ａ、１ｂの両側板の表面に、図１及び図２並びに図６に示したように、正面長方形等の突設部２７、２７を対象に突出して形成し、両分割ハウジング１ａ、１ｂを合体した後、図４及び図６に二点鎖線で示したように、上記突設部２７、２７に係止して当該ハウジング１の外周に薄肉金属板製の帯封２８を巻着し、両分割ハウジング１ａ、１ｂを合体固定する。
【００２３】
尚、図１及び図３並びに図６ないし図９において、２９、３０、３１は、キャンパッケージ１７のリード端子を各示し、図９において、３２はプラグ、３３は光ファイバケーブルを各示す。
【００２４】
【発明の効果】
以上説明したように、本発明に係る光コネクタ用レセプタクルハウジングは構成したので、光軸を中心として二分割形成した二個一対の分割ハウジングを合わせ面で突き合わせて合体することで、プラグ挿入側と反対側に、係止部によりスリーブを両側から挟持して簡単、かつ容易に、しかも強固に係止固定することができると共に、従来のように専用の溝付き金具等を必要としないので、その分だけコストダウンできる。
【図面の簡単な説明】
【図１】  本発明に係る光コネクタ用レセプタクルハウジングに係る一実施形態を示す二個一対の分割ハウジングと、光送信部及び光受信部を各示す斜視図である。
【図２】  同上ハウジングを構成する二個一対の分割ハウジングをプラグ挿入側から見た背面図である。
【図３】  図２におけるＡ−Ａ線断面図と、光送信部及びそのスリーブを示す側面図である。
【図４】  二個一対の分割ハウジングを合体して構成したハウジングを示す正面図である。
【図５】  同上ハウジングに光送信部及び光受信部の各スリーブを係止固定して示す背面図である。
【図６】  図５におけるＢ−Ｂ線矢視断面図である。
【図７】  図５におけるＣ−Ｃ線矢視断面図である。
【図８】  図５におけるＤ−Ｄ線矢視断面図である。
【図９】  光送信部及び光受信部を実装した同上ハウジングにプラグを嵌合した状態を示す側面図である。
【符号の説明】
１          ハウジング
１ａ、１ｂ  二個一対の分割ハウジング
１２、１３  係止部
１５        スリーブ
３２        プラグ
ａ          光軸
【図１】
0004672904.tif 000002
【図２】
0004672904.tif 000003
【図３】
0004672904.tif 000004
【図４】
0004672904.tif 000005
【図５】
0004672904.tif 000006
【図６】
0004672904.tif 000007
【図７】
0004672904.tif 000008
【図８】
0004672904.tif 000009
【図９】
0004672904.tif 000010